(57)【要約】本発明は、腐食の抑制を提供すると同時に、船舶により水を処理することを可能にするシステム及び方法を提供する。酸素ストリッピングガスは、好ましいが随意的にはベンチュリインジェクタへ直接的に送り込んでよく、或いは最初に空のタンクへ送り込み、その後、インジェクタ手段へ伝達してよい酸素ストリッピングガスを生成する。移送パイプ手段を介して、インジェクタを通じて送り込まれた水は、酸素ストリッピングガスと接触し、水中の溶存酸素は、インジェクタによって生成される微細気泡へ移動する。水及び微細気泡は、インジェクタからタンクへ送り込まれ、微細気泡は表面へ浮揚し、酸素はタンクの頭隙に放出される。脱酸素化水は、追加的な脱酸素化用のシステムを通じて再循環させてよく、或いは、タンクから周囲の水路へ放出してよい。
2005525226.tif 000002
【特許請求の範囲】
【請求項１】
水処理用システムであって、
水を受領する入口ポートと、酸素ストリッピングガスを受領するインジェクタポートと、前記水を放出する出口ポートと、を有するインジェクタ手段と、容器と、を備え、
前記水が、前記インジェクタ手段を通過し、これにより、前記インジェクタポートを通じて受領される前記酸素ストリッピングガスと接触し、前記水が、前記出口ポートから前記容器へ放出される水処理用システム。
【請求項２】
酸素ストリッピングガスソースと、第一のストリッピングガス伝達手段と、第二のストリッピングガス伝達手段とを更に備え、前記第一のストリッピングガス伝達手段が、前記ストリッピングガスソースを前記容器に接続し、前記第二のストリッピングガス伝達手段が、前記容器を前記インジェクタ手段の前記インジェクタポートに接続する請求項１記載の水処理用システム。
【請求項３】
酸素ストリッピングガスソースと、第三のストリッピングガス伝達手段とを更に備え、前記第三のストリッピングガス伝達手段が、前記ストリッピングガスソースを前記インジェクタ手段の前記インジェクタポートに接続する請求項１記載の水処理用システム。
【請求項４】
第三の酸素ストリッピングガス伝達手段を更に備え、前記第三のストリッピングガス伝達手段が、前記ストリッピングガスソースを前記インジェクタ手段の前記インジェクタポートに接続する請求項２記載の水処理用システム。
【請求項５】
前記容器が、水体である請求項１記載の水処理用システム。
【請求項６】
移送パイプ手段を更に備え、前記インジェクタ手段が、移送パイプ手段に直列で接続され、前記入口ポートが、前記移送パイプ手段から水を受領し、前記出口ポートが、前記移送パイプ手段を通じて、容器へ水を放出する前記請求項１記載の水処理用システム。
【請求項７】
前記インジェクタポートによって受領される前記酸素ストリッピングガスを調整するブースタブロワを更に備える請求項１記載の水処理用システム。
【請求項８】
前記容器が、船舶のバラストタンクである請求項１記載の水処理用システム。
【請求項９】
外部の水源から水を受領するポンプ手段を更に含む請求項１記載の水処理用システム。
【請求項１０】
前記インジェクタポートによって受領される前記酸素ストリッピングガスを調整するレギュレータを更に備える請求項１記載の水処理用システム。
【請求項１１】
前記容器内に取り付けられたセンサを更に備え、前記センサが制御パネル手段によって制御される請求項１記載の水処理用システム。
【請求項１２】
再循環手段を更に備え、再循環パイプ手段が前記容器から延び、前記水が前記インジェクタ手段の前記入口ポートによって受領される請求項１記載の水処理用システム。
【請求項１３】
水を脱酸素化する方法であって、水を受領する入口ポートと酸素ストリッピングガスを受領するインジェクタポートと前記水を放出する出口ポートとを有するインジェクタ手段を利用するステップと、前記入口ポートに、処理すべき前記水を供給するステップと、
前記酸素ストリッピングガスを前記インジェクタポートに供給することにより、前記水に無数の微細気泡を提供するステップにして、前記水の中の酸素が前記微細気泡内で水相から気相へ拡散するステップと、前記水と前記微細気泡とを前記出口ポートから容器に放出するステップにして、前記微細気泡を前記水から放出することにより前記酸素を前記水から拡散させるステップと、を備える水の脱酸素化方法。
【請求項１４】
前記水から前記酸素を取り除くステップが、前記水中の生物の存在を妨げる目的である、請求項１３記載の水の脱酸素化方法。
【請求項１５】
前記水から前記酸素を取り除くステップが、腐食を抑制する目的である請求項１３記載の水の脱酸素化方法。
【請求項１６】
前記容器が、バラストタンクであり、前記生物が、バラストタンクにおいて一般的なものである請求項１４記載の水の脱酸素化方法。
【請求項１７】
前記容器内での腐食を抑制する目的で、酸素ストリッピングガスを前記容器に供給するステップを更に含む請求項１３記載の水の脱酸素化方法。
【請求項１８】
更なる脱酸素化を提供する目的で、前記インジェクタ手段を通じて、前記水を再循環指させるステップを更に含む請求項１３記載の水の脱酸素化方法。
【請求項１９】
前記水を前記容器から周囲の水路へ放出する前に、前記水を再酸素化するステップを更に含む請求項１３記載の水の脱酸素化方法。
【請求項２０】
前記容器が、水体である請求項１３記載の水の脱酸素化方法。
【発明の詳細な説明】
【背景技術】
【０００１】
ベンチュリインジェクタを使用する水処理システム及び方法は、水からの溶存酸素の除去を促進し、これにより、水中の望ましくない水生生物の個体数を減少させ、同時に腐食を抑制する。水処理システム及び方法は、港湾区域から別の港湾区域へ輸送されるバラスト水を船舶により処理するのを可能にし、これにより、環境への悪影響を制限し、同時に腐食を抑制することで、船舶に関連する使用にとって特に有効となる。水処理のシステム及び方法は、石油生産等、その他の用途を有し得る。
【０００２】
例えば、船舶では、空の状態又は部分的に積載された状態で港を出る前に、バラストタンクに水を積み込み、安定性を維持し、浮力を調整する。事実上、全てのケースにおいて、このバラスト水には、水中の溶存酸素のレベルによって影響を受ける生きた生物が含まれる。船舶は、目的地に到着し、積荷を積載する準備が整うと、このバラスト水を放出するため、目的地である港の水環境には、侵略性である可能性のある種が導入されることになる。約４０，０００隻の大型貨物船が、年間に何十億トンものバラスト水を世界中に運んでおり、何百もの海洋性侵略種を非原生環境に導入する原因になっていると考えられている。こうした侵略の総コストは、不確定であるが、いくつかの推定では数十億ドルとされている。
【０００３】
この問題に取り組みため、多くの国の政府及び米国の州政府では、バラスト水の管理を取り締まる規制を可決している。国際海事機関は、バラスト水の推奨される処理に関するガイドライン案を提案している。米国沿岸警備隊は、現在、米国内の港で通商を行う船舶に関して将来的に考えられるバラスト水処理要件についてのガイドラインを策定している。
【０００４】
軍艦及び一般商船を含め、世界の船舶群の圧倒的大部分は、鋼鉄により建造されている。鋼鉄は、酸素及び水に晒される時に腐食する。船舶の腐食した鋼鉄構造は、耐航性を減少させ、これを回避又は修復するために、広範な措置が講じられている。船舶の腐食の保護及び修復のコストの推定額は、世界全体で年間に数十億ドルに達している。
【０００５】
腐食が特に懸念される船舶の一区域は、バラスト水タンクである。例えば、最大級の石油タンカは、１５，０００，０００ガロン（５７，０００トン）のバラスト水容量を有し得る。バラストタンク構造が長期的に水（多くの場合、塩水）に晒されることで、急速な腐食を助長する条件が形成される。本明細書執筆時、バラストタンクを塗装するコストは、通常、１平方フィート当たり＄５．００乃至＄１０．００であり、一方、その他の推定では、腐食区域を修復するコストは１平方フィート当たり約＄５００である。
【０００６】
したがって、時間及び費用効率に優れた形で、腐食の抑制を提供すると同時に、水生生物を排除するために水を処理するシステムが望ましい。バラスト水中の水生生物を排除する一形態は、周囲の水路から水を取り込む際の水の脱酸素化を通じたものである。溶液中の溶質ガスの濃度は、溶液上方のガスの分圧に正比例する（この物理現象はヘンリの法則によって支配され、溶解濃度は、その溶質に対するヘンリの法則の定数を使用して計算できる）。そのため、ストリッピングガス（窒素又はその他の低酸素ガス混合物）に晒される時、酸素は、６乃至１０ｐｐｍの溶存酸素を含む水から容易に拡散され、約７９パーセントの窒素と２１パーセントの酸素とである空気中に存在する混合物へ戻ろうとする。バラスト水に存在する溶存酸素を除去するための窒素ガスの使用は、効率的かつ経済的に望ましいバラスト水処理手段を提供し、同時に腐食抑制効果を与えるものとして記録されている。マリオ・Ｎ・タンブリら：バラスト水脱酸素化により可能となる水性導入の防止及び船舶腐食の低減、Biolog. Conserv. (2002) 103: 331-341を参照されたい。考えられる様々なストリッピングガス及びその混合物に対するヘンリの法則の定数は、様々なガスを使用して水を脱酸素化できることを示している。
【０００７】
船上において、水中の溶存酸素をストリッピングに晒すための効率的な方法は、水中においてガスの微細気泡を形成することである。水中で形成される微細ストリッピングガス気泡は、微細気泡がタンク底部から上部へ浮揚する際に、溶存酸素を水から移送させる能力を有する。微細気泡を形成するための、一般に認められた、効率的で、安全で、信頼性の高い方法は、ベンチュリインジェクタの使用によるものである。
【発明の開示】
【発明が解決しようとする課題】
【０００８】
水処理、更に詳しくは、バラスト水処理の装置及び方法は、ある港湾区域から別の港湾区域へ輸送される水を船舶により処理することを可能にする上で望ましい。こうした処理は、後の時点で、水を最初に取得した環境とは生態学的に異なる環境へ水を放出する時に生じ得る環境的に危険な影響を制限する。
【０００９】
水処理装置及び方法の使用は、従来技術において知られている。例えば、ブラウニングに対する米国特許第６，１７１，５０８号では、船舶のバラスト水中の微生物を殺す方法及び装置を開示している。しかしながら、ブラウニングの’５０８号特許は、バラスト水を脱酸素化するのにストリッピングガスを使用しておらず、結果として、何らかの腐食抑制特性を開示しておらず、更に、効率の低い真空メカニズムを使用してバラスト水から溶存酸素を除去するという欠点を有する。
【００１０】
ロッデンに対する米国特許第６，１２５，７７８号では、オゾンを使用してバラスト水を処理するバラスト水処理を開示している。しかしながら、ロッデンの’７７８号特許は、腐食に関するものを提供しておらず、バラスト水を処理するために、より効率的なベンチュリインジェクタ促進手段を使用していない。
【００１１】
同様に、ギルに対する米国特許第５，１９２，４５１号では、水溶性のジアキルジアリル第四アンモニウム重合体によりバラスト水を処理し、船舶バラストタンク内のゼブラ貝を防除する方法を開示している。しかしながら、ギルの’４５１号特許では、化学反応の発生しない水処理は不可能であり、何らかの腐食抑制特性を提供しない。
【００１２】
追加として、チャンに対する米国特許第５，３７６，２８２号及び第５，５７８，１１６号では、共に、真空及び撹拌を使用し、ゼブラ貝の生存を抑制する目的で水から溶存酸素を除去することを開示している。しかしながら、’２８２及び’１１６特許は、バラスト水を脱酸素化するために、より効率的なベンチュリインジェクタにより促進されたストリッピングガスの伝達を提供しておらず、更に、水からの溶存酸素の除去中に腐食抑制効果を提供しないという欠点を有する。
【００１３】
デッカに対する米国特許第６，１２６，８４２号では、酸素中の低濃度オゾンガスのガス混合物を廃水流に注入し、同時に混合して、廃水の汚染物質の除去を提供する、低濃度オゾン廃水処理方法を開示している。しかしながら、デッカの’８４２号特許は、ベンチュリインジェクタを使用した効率的なオゾンに基づく処理システムを提供するものの、船舶上でのバラスト水の処理を開示しておらず、更に’８４２特許は、効率の向上及び腐食の抑制といった、酸素ストリッピングガスを使用することで得られる更に大きな利点を提供していない。
【００１４】
ハートウィグに対する米国特許第６，２７４，０５２号では、オゾン伝達のために一連のベンチュリインジェクタを使用したプール水のオゾン処理を開示している。しかしながら、ハートウィグの’０５２号特許は、水を酸素化する目的で、ベンチュリインジェクタを通じて水中に酸素ストリッピングガスを注入することを開示しておらず、説明される処理中に何らかの腐食抑制効果を提供しないという追加的な欠陥を有する。
【００１５】
サバールに対する米国特許第４，２４６，１１１号では、廃水を生物学的に処理し、処理水を生物学的に浄化するための装置を開示している。しかしながら、サバールの’１１１号特許は、好ましいが随意的にはバラスト水である水の脱酸素化に関して、酸素ストリッピングガスを使用しておらず、更に、腐食の抑制を提供しない。
【００１６】
最後に、ノールドに対する米国特許第３，６７６，９８３号では、真空室及び撹拌を使用して液体のガスを除去する装置及び方法を開示している。しかしながら、ノールドの’９８３号特許は、液体のキャビテーションを必要とし、液体のガス除去を更に効率的に促進するベンチュリインジェクタを使用していない。
【００１７】
上で説明した発明はその特定の目的及び要件を満たすが、上記の特許では、ある港湾区域から別の港湾区域へ輸送される水を船舶により処理することを可能にし、同時に腐食の抑制を提供するシステム及び方法が説明されていない。
【００１８】
上記の特許と、この技術において現在知られている他の水処理システム及び方法は、腐食の抑制を提供しながら、ストリッピングガスによる脱酸素化を促進するインジェクタ手段を使用した水処理を規定していない。
【課題を解決するための手段】
【００１９】
従来技術において現時点で存在する既知のタイプの水処理システム及び方法に内在する上記の欠点を考慮すると、本発明は、水の脱酸素化を促進する、好ましいが随意的にはベンチュリインジェクタであるインジェクタ手段を通じて注入される酸素ストリッピングガスを使用する改良されたシステム及び方法を提供し、従来技術において指摘された不利点及び欠点を克服する。そのため、本発明の一般的な目的は、後で更に詳細に説明するように、これまでに述べた従来技術のあらゆる利点と、従来技術又はその任意の組み合わせによって予測、明白な提供、提案、或いは暗示すらされない水処理のシステム及び方法をもたらす多数の新しい特徴とを有する、新しい改良された水処理システム及び方法を提供することである。
【００２０】
これを達成するために、本発明は、容器と、随意的だが好ましくはベンチュリインジェクタであり、水を受領する入口ポート、酸素ストリッピングガスを受領するインジェクタポート、及び水を放出する出口ポートを有するインジェクタ手段とを有する、水処理システムを備える。水は、入口ポートに入り、インジェクタを通過し、これにおいて、水は、インジェクタ手段のインジェクタポートを通じて受領されるストリッピングガスと接触する。水は、その後、出口ポートから容器へ放出される。インジェクタ手段により受領されるストリッピングガスは、ガス生成ソースからのものである。ガスは、好ましいが随意的にはバラストタンクにしてよい容器にガスソースを接続する第一のガス伝達手段と、容器をインジェクタ手段のインジェクタポートに接続する第二のガス伝達手段とによって、インジェクタ手段に伝達し得る。代替として、容器は、随意的には、水が直接的にインジェクタ手段から周辺水路へ通過する水管にしてもよい。
【００２１】
第一及び第二のガス伝達手段との組み合わせにおいて、或いは代替において、ガスソースを前記インジェクタ手段のインジェクタポートに接続し、これにより、ストリッピングガスをソースからインジェクタポートへ直接的に伝達する第三のガス伝達手段が存在してもよい。好ましいが随意的には、インジェクタ手段は、入口ポートが移送パイプ手段を通過する前記水を受領し、出口ポートが容器に接続し得る移送パイプ手段に水を再び放出するように、移送パイプ手段に直列で接続される。追加として、インジェクタ手段へのストリッピングガスの流れを制御するために、ブースタブロワ、及び／又は、随意的だが好ましくはディマンドバルブであるレギュレータを、容器とインジェクタ手段との間で、第二のストリッピングガス伝達手段に直列で取り付けてもよい。好ましいが随意的には、多くの船舶で見られるようなバラストポンプであるポンプ手段は、外部の水源からの水を受領し、インジェクタ手段を通じて水を送り込んでよい。
【００２２】
このシステムは、更に、容器に水を取り込み、再循環パイプ手段を介して容器から水を再循環させ、インジェクタ手段を通じて再び容器に水を送り込む再循環手段を含んでもよい。この再循環手段は、随意的だが好ましくは、制御パネル手段によって起動させ得るセンサによってモニタされ、センサは、好ましいが随意的には、処理する水の中に存在する酸素のレベルをモニタする気体酸素及び溶存酸素センサである。本発明は、更に、再酸素化手段と、脱酸素化水の放出の前に発生する再酸素化ステップとを有してもよい。この再酸素化は、大量の脱酸素化水を周辺水路へ放出した時に発生し得る環境への悪影響を低減する役割を果たす。当然ながら、以下において説明され、付記する請求項の内容を形成する本発明の追加的な特徴も存在する。
【００２３】
本発明の多数の目的及び利点は、添付図面と併せて、現時点では好適であるがなお例示的である本発明の実施形態の以下の詳細な説明を読むことで、当業者には容易に明らかとなろう。本発明がその適用において以下の説明に記載され或いは図面に例示される構造の詳細と構成要素の配置とによって制限されるものではないことは理解されたい。本発明は、他の実施形態が可能であり、様々な形態で実施及び実行し得る。また、本明細書で利用される言い回し及び用語は説明を目的とするものであって限定として見做されるべきではないことも理解されたい。
【００２４】
そのため、当業者は、本開示が基づく概念を、本発明のいくつかの目的を実践するその他の構成、方法、及びシステムの設計の基盤として容易に利用し得ることは理解し得よう。したがって、特許請求の範囲は本発明の趣旨及び範囲から逸脱しない限りこうした等価の構成を含むものとして見做されることが重要である。
【００２５】
したがって、本発明の目的は、従来技術の水処理装置及び方法の利点と、追加的な利点及び利益とを有する、水処理のための新しい改良されたシステム及び方法を提供することである。
【００２６】
本発明の更に別の目的は、従来技術のシステム及び方法において、その利点の一部を提供し、同時に、通常関連する欠点の一部を克服する、新しい水処理システム及び方法を提供することである。
【００２７】
本発明の更に別の目的は、酸素ストリッピングガスを使用し、これにより、他の散布又は気泡拡散式ガス伝達方法よりも効率の高いストリッピングガス伝達を提供する、システムである。これにより、水が最初に取得された環境とは生態学的に異なる環境に未処理の水が放出された時に発生し得る環境への悪影響を制限する、経済的に好ましく効率的な方法が可能となる。
【００２８】
本発明の更に別の目的は、好ましいが随意的には、ベンチュリインジェクタによって水流に注入される酸素ストリッピングガスにより、船舶で水を処理することを可能にする水処理システム及び方法を提供することである。これにより、腐食の抑制を提供しながら、好ましいが随意的にはバラスト水である水を効率的に処理することが可能となり、水処理に関連する全体的な維持費及びコストを減少させる。
【００２９】
追加的に、本発明は、水から酸素をストリッピングするストリッピングガス促進型脱酸素化を使用する水処理システム及び方法を更に提供する。この酸素ストリッピングシステム及び方法では、効率を高め、化学物質を使用しない水処理が可能となる。
【００３０】
本発明の更なる目的は、好ましくは、水生生物の生存の抑制及び／又は腐食の抑制を目的の一部として、水を脱酸素化する新しい改良された方法を提供することである。この方法は、水を受領する入口ポートと、ストリッピングガスを受領するインジェクタポートと、水を放出する出口ポートとを有する、好ましいが随意的にはベンチュリインジェクタであるインジェクタ手段を利用することを含み、被処理水は入口ポートに供給され、ストリッピングガスはインジェクタポートに供給され、これにより、水中には無数の微細気泡が導入され、水中の酸素は前記微細気泡内で水相から気相へ拡散される。この方法は、更に、水と微細気泡とを、インジェクタ手段の出口ポートから、好ましいが随意的にはバラストタンクである容器へ放出することを含み、これにおいて、微細気泡は水から放出され、酸素はこれにより水から拡散される。この水を脱酸素化する方法は、更なる脱酸素化を提供するためにインジェクタ手段を通じて前記水を再循環させることを更に含んでもよく、好ましいが随意的にはバラストタンクであり、或いは代替として、但し限定されずに、閉じたタンク或いは周辺水路に接続される水管である容器から周辺水路へ水を放出する前に、水を再酸素化することを更に含んでもよい。
【００３１】
本発明の別の目的は、容易かつ効率的に製造及び売買し得る、水処理のための新しい改良されたシステム及び方法を提供することである。
【００３２】
最後に、本発明の目的は、材料及び労力の両方に関して、製造コストが比較的低く、したがって、一般消費者及び消費業界にたいして、比較的低い価格で販売可能な水処理のための新しい改良されたシステム及び方法を提供することである。
【００３３】
以下の本発明の詳細な説明がより深く理解され、この技術への現時点での貢献がより深く認識されるように、本発明の重要な特徴の概要を以上のように大まかに述べた。
【００３４】
本発明の目的は、本発明を特徴付ける新規性の様々な特徴と共に、本開示に付記され、本開示の一部となる請求項において、詳細に指摘される。本発明と、その動作上の利点と、その使用により達成される特定の目的とをより深く理解するために、本発明の現在の実施形態が例示される添付図面と記述内容とを参照するべきである。同一の参照符号は、様々な図を通じて同じ部分を指す。
【発明を実施するための最良の形態】
【００３５】
次に、図面、特に図１乃至５を参照すると、本発明の水処理システム及び方法の現在の実施形態が図示されており、その全体が参照符号１０によって示されている。
【００３６】
図１では、腐食の抑制を提供しながら、ある港湾区域から別の港湾区域へ輸送される水を船舶により処理することが可能な、ストリッピングガス脱酸素化を使用する新しい改良された水処理システム１０の基本フロー図が例示及び説明される。更に詳しくは、ストリッピングガス脱酸素化を使用する水処理システム１０は、取水手段１２を有し、取水手段１２を通じて、船舶の外部から水が入る。その後、水は、バラストポンプ１４その他といったポンプ手段を通じて、ベンチュリインジェクタ等のインジェクタ手段１６の入口ポートに送り込まれる。ストリッピングガスソース１８から取得される酸素ストリッピングガスは、ブースタブロワ２０により促進されるインジェクタ手段１６の入口ポートへ伝達され、更には、好ましいが随意的にはディマンドバルブであるレギュレータ２２により制御し得る。追加として、ストリッピングガスは、ストリッピングガスソース１８から、好ましいが随意的には船舶のバラストタンクである容器２４に送り込んでもよい。
【００３７】
インジェクタ手段１６に伝達されたストリッピングガスは、インジェクタ手段１６内で水と接触し、ストリッピングガスと水との混合物は、インジェクタ手段１６から、容器２４又は船舶のバラストタンクへ送り込まれる。混合物が容器２４内部に入ると、インジェクタ手段１６によって生成された微細気泡内で結合した水からの溶存酸素とストリッピングガスとは、容器２４の頭隙２６へ浮揚する。好ましいが随意的には気体酸素センサ２８及び溶存酸素センサ３０である一連のセンサは、水中に残存する溶存酸素の量をモニタするために、容器２４内に存在してもよい。更に、センサ及びシステム全体の更なる調整及び制御を提供するために、制御パネル手段３２が存在してもよい。圧力バルブ及び／又は一連の圧力バルブ３４は、通常、容器２４の上部に配置され、容器内の圧力を調整するために、ガスを受動的に放出する。必要であれば、容器２４内の水の一部は、好ましいが随意的には、制御パネル手段３２によって制御し得る一連のセンサによる決定及び／又は制御に応じて、再循環取水ポート３６へ再循環させ、バラストポンプ１４と、インジェクタ手段１６とを通じて、容器２４へ再び送り込んでもよい。
【００３８】
図２は、本発明が船舶、大型船、その他の航海船に位置する際の水処理用システムを表している。図示したように、好ましいが随意的にはバラスト水である水は、一般に船舶の船尾に位置する取水手段１２により船舶に積載される。その後、水は、バラストポンプ１４等のポンプ手段を通じて、ベンチュリインジェクタ等のインジェクタ手段１６に送り込まれる。ストリッピングガスソース１８から取得される酸素ストリッピングガスは、その後、ブースタブロワ２０を通じて、インジェクタ手段１６に送り込まれる。ブースタブロワ２０は、船舶の容器における水によるストリッピングガスの移動に遅れないように、水に導入されるストリッピングガスの量を制御する役割も果たし得る。
【００３９】
ストリッピングガスは、空の容器２４において更なる腐食の抑制を提供するために、更にストリッピングガスソース１８から容器２４又はバラストタンクへ送り込まれる。インジェクタ手段１６へ伝達されたストリッピングガスは、インジェクタ手段１６内で水と接触し、二つの混合物は、インジェクタ手段１６から、随意的だが好ましくはバラストタンクである船舶の容器２４へ送り込まれる。容器２４内部に入ると、インジェクタ手段１６によって生成された微細気泡内で結合した水からの溶存酸素とストリッピングガスとは、容器２４内の頭隙２６、或いは水上のその他の区域へ浮揚する。一連の圧力バルブ３４は、好ましいが随意的には、容器の最上部に配置され、船舶のデッキへと延び、任意の時点で容器２４内部の圧力のレベルを制御する。
【００４０】
図３は、船舶内にある時の水処理用システムの位置を表すために、船舶を上方から図示している。図示したように、水処理用システム１０は、好ましいが随意的には、船舶の船尾又はその近辺に位置し、好ましくは船舶に位置するバラストタンク２４である容器へ水を送り込む。
【００４１】
図４において、本発明は、周辺水路からの水が移送パイプ手段３８を通じて船舶に入るように図示されている。水は、その後、バラストポンプ１４等のポンプ手段を通じて、随意的だが好ましくは、移送パイプ手段３８に直列で接続されたベンチュリインジェクタであるインジェクタ手段１６の入口ポートへ送り込まれ、移送パイプ手段３８には、容器への伝達のために、好ましいが随意的には、ジェットノズルのネットワークを組み込んでもよい。酸素ストリッピングガスは、好ましいが随意的には、少なくとも９０％の窒素を含み、ガスソース１８から取得され、第一のストリッピングガス伝達手段４０を介して、好ましいが随意的にはバラストタンクである空の容器２４に伝達される。このストリッピングガスは、その後、第二のストリッピングガス伝達手段４２によって、容器２４からインジェクタ手段１６の入口ポートに伝達される。
【００４２】
インジェクタ手段１６へのストリッピングガスの伝達は、ブースタブロワ２０によって促進してよく、ブースタブロワ２０は、バラストタンク、水体、又は水管その他にしてよい容器２４内での水によるストリッピングガスの移動に対応するために、水に導入するストリッピングガスの量を増加させる機能を更に果たしてもよい。インジェクタ手段１６に伝達されるストリッピングガスは、インジェクタ手段１６内で水と接触し、ストリッピングガスと水との混合物は、インジェクタ手段１６から、移送パイプ手段３８を通じて、容器２４へ送り込まれる。（複数の）容器２４間のスペースは、好ましくは、一般的に船舶上でこのように構成される貨物エリア４４その他となるものを表す。好ましくは気体酸素センサ２８及び溶存酸素センサ３０である一連のセンサは、放出済み及び水中に残存する溶存酸素の量をモニタするために、（複数の）容器２４内に存在してよく、更に随意的に、システムを起動及び制御するために、制御パネル手段が存在してもよい。
【００４３】
図５には、移送パイプ手段３６に直列で取り付けられたベンチュリインジェクタ４６が図示されている。この例において、ベンチュリインジェクタは、カリフォルニア州ベイカーズフィールドのＭａｚｚｅｉ  Ｉｎｊｅｃｔｏｒ  Ｃｏｒｐｏｒａｔｉｏｎが製造したモデル１２０５０−ＳＳ  Ｍａｚｚｅｉインジェクタである。このＭａｚｚｅｉインジェクタの構造及び動作は、アンジェロ・Ｌ・マッツェイに対して１９９９年１月２６日に発行された米国特許第５，５６３，１２８号において例示及び説明されており、この特許の開示は、本明細書に全体が記載されるのと同様の範囲で、参照によりここに組み込むものとする。
【００４４】
ポンプ手段からの水は、ベンチュリインジェクタ４６の入口ポート４８に入る。酸素ストリッピングガスは、インジェクタポート５０を通じて、ベンチュリインジェクタ４４に伝達され、水とストリッピングガスとは、ベンチュリインジェクタ４６の収縮部分５２で接触する。水とストリッピングガスとは、その後、収縮部分５２から送り出され、次に、かつては水中に存在した溶存酸素とストリッピングガスとは、ストリッピングガスと水とをベンチュリインジェクタ４６を通じて送り出すことにより生成された微細気泡５６内で、ベンチュリインジェクタ４６の出口ポート４６を通過する。微細気泡５６と、この時点で部分的に脱酸素化された水とは、出口ポート５４から移送パイプ手段３８へと移動し、移送パイプ手段３８は脱酸素化された水と微細気泡とを最終的に容器へ運び、これにおいて、追加的な脱酸素化が発生し得る。
【００４５】
図６は、容器内の閉再循環システムを示している。未処理の水は、移送パイプ手段３８を通じて、随意的だが好ましくは密閉可能なタンクである容器２４に入る。容器２４内に入ると、追加的な移送パイプ３８を通じて水を送るために、ポンプ手段１４が提供される。水は、その後、随意的だが好ましくはベンチュリインジェクタであるインジェクタ手段１６の入口ポート４８に入る。インジェクタ手段１６の収縮部分５２内で、水は、インジェクタ手段１６のインジェクタポート５０によって受領されている酸素ストリッピングガスに接触する。随意的だが好ましくは容器２４外部に近接して配置されるストリッピングガスソース１８は、ガス伝達手段によりインジェクタポート５０に伝達されるストリッピングガスを生成する。
【００４６】
水中に存在する溶存酸素の大部分とストリッピングガスとは、ストリッピングガスと水とをインジェクタ手段１６を通じて送り出すことにより生成された微細気泡内で、収縮部分５２から、インジェクタ手段１６の出口ポート５４を通過する。出口ポート５４に接続された移送パイプ３８は、微細気泡と、この時点で部分的に脱酸素化された水とを、インジェクタ手段から、ジェットノズル５８を通じて、容器２４内へ移送し、これにおいて、微細気泡は容器内の頭隙２６へ移動し、これにより、水から酸素を放出する。圧力バルブ３４、又は一連の圧力バルブは、容器２４内部で圧力が蓄積されるのを防ぐために、容器２４の最上部に提供してもよい。容器２４内の水は、継続的に再循環させてよく、溶存酸素及びストリッピングガスのレベルをモニタし、再循環の速度、及び／又は、処理済みの水を容器２４から、随意的だが好ましくは追加的な移送パイプを通じて、放出する速度を決定できるように、一連のセンサ及び／又は制御パネル手段が存在してもよい。
【００４７】
本明細書で説明する水処理は、好ましくは、但し限定的ではなく、船舶が好ましくはベンチュリインジェクタその他であるインジェクタ手段を通じて船舶に水を送り込む際に、インジェクタ手段に導入された酸素ストリッピングガスと水が接触するように発生する。一般に、一つ又は一連のポンプにしてよいポンプ手段は、船舶を取り囲む水路から、水を移送パイプ手段に引き込む。船舶の酸素ストリッピングガスソースは、浸透膜型窒素発生機、船舶の煙道ガス、不活性ガス発生機、又はその他といった、この技術で知られている標準的なソース又は方法にしてよい。ストリッピングガス伝達の制御は、インジェクタ手段に接続されるストリッピングガス伝達手段に直列で接続されるブースタブロワ及び／又はレギュレータを通じたものにしてよい。ストリッピングガスソースは、ストリッピングガス伝達手段によって、好ましいが随意的には（複数の）バラストタンクである容器、又は随意的に複数の容器と、インジェクタ手段との両方に接続される。
【００４８】
ストリッピングガスは、ストリッピングガス伝達手段によって、容器に伝達され、容器を満たしてよい。別のストリッピングガス伝達手段により、インジェクタ手段を通じてストリッピングガスを流すことができる。このストリッピングガス伝達手段は、容器に接続してストリッピングガスを伝達してよく、或いは、ストリッピングガスソースに接続して直接的にストリッピングガスを伝達してもよい。ストリッピングガスが好ましくはベンチュリインジェクタであるインジェクタ手段に伝達されると、インジェクタを通じて送り込まれる水がストリッピングガスに接触し、水中に存在する溶存酸素は、水から、インジェクタ手段によって生成された微細気泡へ移動する。こうした微細気泡は、ストリッピングガス及び酸素の混合物を含み、水と共に、インジェクタ手段から容器へと送り込まれる。水が容器に送り込まれると、容器に存在し得るストリッピングガスは、好ましくは、但し限定的でなく、１：１の体積比率で交換される。このストリッピングガスは、インジェクタ手段へ向け直され、ストリッピングガスの使用において更に高い効率を提供する。
【００４９】
容器内に入ると、微細気泡は、容器内の水の表面へ浮揚し、ストリッピングガス−酸素混合物は、容器の頭隙又は水上の区域内に放出される。本発明は、処理済みの水が容器に入る際に、脱酸素化水への酸素の再導入を防止するために、空の容器にストリッピングガスを伝達するストリッピングガス伝達手段を更に含んでもよい。この酸素ストリッピングの全体として好ましいが随意的である効果は、バラスト水に一般的に存在するものその他といった、水生生物の生存を妨げ、同時に腐食の抑制を共に又は代替として提供することである。
【００５０】
水処理の開始と停止とは、船舶の取水と同時に起こる。水を更に処理するために、再循環メカニズムを利用してよく、その必要性は、容器内に存在し、随意的に消毒を検証できるように水中の溶存酸素濃度を記録する、気体酸素及び溶存酸素センサを一部として含む一連のセンサによって決定してよい。再循環メカニズムを起動する必要がある場合、停止動作は、好ましいが随意的には、センサ及びバルブに接続されたコントロールパネル手段によって制御してよい。
【００５１】
使用においては、水処理システム及び方法は、非化学的で効率的な水処理のために使用してよく、同時に腐食を抑制するものとしての役割を果たす。
【００５２】
水処理システム及び方法の現在の実施形態について詳細に説明したが、修正及び変更が可能であり、その全てが本発明の本来の趣旨及び範囲に含まれることは明らかである。そのため上の説明に関して、本発明の部品のための最適な寸法の関係は、サイズと、材料と、形状と、形態と、機能と、動作、組み立て及び使用方法とにおける変更を含め、当業者にとって容易に明白及び自明になると考えられ、図面において例示され、明細書において説明されたものと同等の全ての関係は、本発明に包含されることが意図されると認識される。例えば、様々な金属、プラスチック、又は他の頑丈な材料で作成した任意の適切な円筒管を、説明した移送パイプ手段及び／又は再循環パイプ手段として使用してよい。更に、水性種消毒及び腐食抑制特性の両方を有し、好ましいが随意的には船舶における、ストリッピングガス誘導型脱酸素化を使用した水処理について説明したが、本明細書で説明した水処理システム及び方法は、廃水管理、農業用途、プール及び温泉用途、石油及びガス用途、及び様々な消毒用途を一部として含む広範な水処理用途にも適する可能性がある。追加として、多くの形状及びサイズの広範な船倉及びタンクと、開放された水体とを、説明した基本的な容器又はバラストタンクの代わりに使用してもよい。更に、方法と、構成と、サイズと、形状と、圧力及び体積要件とは、広範な形状及びサイズの広範な船舶に一致させてよく、説明した閉再循環システム及び方法は、ある容器から別の容器へ移転可能であってもよい。本発明は、更に、広範なポンプと、容器と、ストリッピングガス発生機又はソースと、圧力バルブと、本発明に必要だが船舶又はその他の処理位置に既に存在するその他の構成要素とにより使用してよい。
【００５３】
したがって、前述したものは、本発明の原理の単なる例示であると考えられる。更に、当業者は多数の変形及び変更を容易に想到し得るため、図示及び説明された厳密な構成及び動作に本発明を限定することは望まれておらず、したがって、全ての適切な変形例及び等価物は、本発明の範囲に入るものとして再分類してよい。
【図面の簡単な説明】
【００５４】
以下の詳細な説明を考察することにより、本発明はより深く理解され、上述した以外の目的が明らかとなろう。この説明では、以下の添付図面を参照する。
【図１】本発明の原理により構築された水処理システム及び方法の現在の実施形態のプロセスフロー図
【図２】船舶に位置する本発明の水処理システム及び方法の正面図
【図３】本発明の水処理システム及び方法を内部に含んだ船舶の平面図
【図４】本発明の水処理システム及び方法の正面図
【図５】本発明の水処理システム及び方法のベンチュリインジェクタ構成要素の正面図
【図６】容器に提供される本発明の閉再循環システムの正面図
【図１】
2005525226.tif 000003
【図２】
2005525226.tif 000004
【図３】
2005525226.tif 000005
【図４】
2005525226.tif 000006
【図５】
2005525226.tif 000007
【図６】
2005525226.tif 000008
【国際調査報告】
2005525226.tif 000009
2005525226.tif 000010
2005525226.tif 000011
2005525226.tif 000012
2005525226.tif 000013